(57)【要約】【課題】本発明は、高周波帯域での使用が可能なコモンモードノイズフィルタを提供することを目的とするものである。【解決手段】本発明のコモンモードノイズフィルタは、非磁性材料で構成された複数の非磁性体層１１ａ〜１１ｃと、前記複数の非磁性体層１１ａ〜１１ｃに設けられた第１のコイル１２、第２のコイル１３と、前記複数の非磁性体層１１ａ〜１１ｃの上方、下方の少なくとも一方に設けられた磁性体層１４ａ〜１４ｄと、前記第１、第２のコイル１２，１３の中心部分において前記非磁性体層１１ａ〜１１ｃを貫通し、かつ前記上方の磁性体層１４ｃ，１４ｄと下方の磁性体層１４ａ，１４ｂに接する磁性部１５とを備え、上面視にて前記磁性部１５が露出するような切欠部１６を有する金属層１７を前記磁性体層１４ａ〜１４ｄに形成したものである。【選択図】図１
2012109326.tif 000002
【特許請求の範囲】
【請求項１】
非磁性材料で構成された複数の非磁性体層と、前記複数の非磁性体層が積層されて形成された非磁性体に設けられた第１のコイル、第２のコイルと、前記複数の非磁性体層の上方、下方の少なくとも一方に設けられた磁性体層と、前記第１、第２のコイルの中心部分において前記非磁性体層を貫通し、かつ前記上方の磁性体層と下方の磁性体層に接する磁性部とを備え、上面視にて前記磁性部が露出するような切欠部を有する金属層を前記磁性体層に形成したコモンモードノイズフィルタ。
【請求項２】
上面視にて第１、第２のコイルの一部が露出するように切欠部を金属層に形成した請求項１記載のコモンモードノイズフィルタ。
【発明の詳細な説明】
【技術分野】
【０００１】
本発明は、デジタル機器やＡＶ機器、情報通信端末等の各種電子機器に使用されるコモンモードノイズフィルタに関するものである。
【背景技術】
【０００２】
従来のこの種のコモンモードノイズフィルタは、図６に示すように、非磁性材料で構成された複数の非磁性体層１ａ〜１ｃと、前記複数の非磁性体層１ａ〜１ｃに設けられた第１のコイル２、第２のコイル３と、前記複数の非磁性体層１ａ〜１ｃの下方、上方に設けられた磁性体層４ａ，４ｂと、前記第１、第２のコイル２，３の中心部分において前記非磁性体層１ａ〜１ｃを貫通し、かつ前記上方の磁性体層４ｂと下方の磁性体層４ａに接する磁性部５と、前記磁性体層４ａ，４ｂに前記磁性体層４ａ，４ｂの略全面に形成された方形状の金属層６とを備えていた。
【０００３】
そして、第１のコイル２、第２のコイル３のそれぞれで発生した磁束が磁性部５の内部を貫くようにし、この磁束が第１のコイル２および第２のコイル３の周囲を周回するようにして、第１のコイル２と第２のコイル３との間の結合を強め、コモンモードノイズを除去できるようにしていた。さらに、金属層６をグランドに接続し、第１、第２のコイル２，３と金属層６との間で発生する浮遊容量によって高周波のコモンモードノイズをグランドにバイパスさせて、高周波領域のコモンモードノイズの減衰特性も向上させるようにしていた。
【０００４】
なお、この出願の発明に関する先行技術文献情報としては、例えば、特許文献１が知られている。
【先行技術文献】
【特許文献】
【０００５】
【特許文献１】特開２００４−１９４１７０号公報
【発明の概要】
【発明が解決しようとする課題】
【０００６】
上記した従来のコモンモードノイズフィルタは、金属層６が第１、第２のコイル２，３と対向しているため、第１、第２のコイル２，３で発生した磁束が金属層６に妨げられて周回しなくなり、これにより、第１のコイル２と第２のコイル３との間の結合が弱まるため、コモンモードノイズの減衰特性が劣化するという課題を有していた。
【０００７】
本発明は上記従来の課題を解決するもので、コモンモードノイズの減衰特性が劣化するのを防止できるコモンモードノイズフィルタを提供することを目的とするものである。
【課題を解決するための手段】
【０００８】
上記目的を達成するために本発明は、以下の構成を有するものである。
【０００９】
本発明の請求項１に記載の発明は、非磁性材料で構成された複数の非磁性体層と、前記複数の非磁性体層に設けられた第１のコイル、第２のコイルと、前記複数の非磁性体層の上方、下方に設けられた磁性体層と、前記第１、第２のコイルの中心部分において前記非磁性体層を貫通し、かつ前記上方の磁性体層と下方の磁性体層に接する磁性部とを備え、上面視にて前記磁性部が露出するような切欠部を有する金属層を前記磁性体層に形成したもので、この構成によれば、第１、第２のコイルで発生し磁性部の内部を貫く磁束が、切欠部によって金属層に邪魔されることはないため、磁束の回りこみがよくなり、これにより、多くの磁束を第１、第２のコイルの周囲を周回させることができるため、第１のコイルと第２のコイルとの間の結合を強めることができ、これにより、コモンモードノイズの減衰特性が劣化するのを防止できるという作用効果が得られるものである。
【００１０】
本発明の請求項２に記載の発明は、特に、上面視にて第１、第２のコイルの一部が露出するように切欠部を金属層に形成したもので、この構成によれば、第１、第２のコイルで発生し磁性部の内部を貫く磁束を、切欠部および第１、第２のコイルの一部を周回させることができるため、第１のコイルと第２のコイルとの間の結合をより強めることができ、これにより、コモンモードノイズの減衰特性が劣化するのを確実に防止できるという作用効果が得られるものである。
【発明の効果】
【００１１】
以上のように本発明のコモンモードノイズフィルタは、上面視にて磁性部が露出するような切欠部を有する金属層を磁性体層に形成しているため、第１、第２のコイルで発生し磁性部の内部を貫く磁束を、切欠部によって金属層に邪魔されることなく、周回させることができ、これにより、第１のコイルと第２のコイルとの間の結合を強めることができるため、コモンモードノイズの減衰特性が劣化するのを防止できるという優れた効果を奏するものである。
【図面の簡単な説明】
【００１２】
【図１】本発明の一実施の形態におけるコモンモードノイズフィルタの分解斜視図
【図２】同コモンモードノイズフィルタの斜視図
【図３】同コモンモードノイズフィルタの主要部の上面図
【図４】同コモンモードノイズフィルタの等価回路図
【図５】同コモンモードノイズフィルタの他の例の主要部の上面図
【図６】従来のコモンモードノイズフィルタの分解斜視図
【発明を実施するための形態】
【００１３】
以下、本発明の一実施の形態におけるコモンモードノイズフィルタについて、図面を参照しながら説明する。
【００１４】
図１は本発明の一実施の形態におけるコモンモードノイズフィルタの分解斜視図、図２は同コモンモードノイズフィルタの斜視図である。
【００１５】
本発明の一実施の形態におけるコモンモードノイズフィルタは、図１、図２に示すように、非磁性材料で構成された第１〜第３の非磁性体層１１ａ〜１１ｃと、前記第１〜第３の非磁性体層１１ａ〜１１ｃで構成された非磁性体１０に設けられた第１のコイル１２、第２のコイル１３と、前記第１〜第３の非磁性体層１１ａ〜１１ｃの下方に設けられた第１、第２の磁性体層１４ａ，１４ｂと、上方に設けられた第３、第４の磁性体層１４ｃ，１４ｄと、前記第１、第２のコイル１２，１３の中心部分において前記第１〜第３の非磁性体層１１ａ〜１１ｃを貫通し、かつ前記下方の磁性体層１４ａ，１４ｂと上方の磁性体層１４ｃ，１４ｄに接する磁性部１５とを備えている。そして、上面視にて前記磁性部１５が露出するような切欠部１６を有する金属層１７を、下方の第１の磁性体層１４ａと第２の磁性体層１４ｂとの間、上方の第３の磁性体層１４ｃと第４の磁性体層１４ｄとの間にそれぞれ形成している。
【００１６】
上記構成において、前記第１〜第３の非磁性体層１１ａ〜１１ｃは、下から順に積層され、Ｃｕ−Ｚｎフェライトからなる非磁性材料により形成され、非磁性体１０を構成している。そして、第１のコイル１２、第２のコイル１３は、非磁性体１０に形成されている。
【００１７】
また、前記第１のコイル１２は、第１の非磁性体層１１ａの上面に形成された第１の渦巻き状導体１８ａと、第１の非磁性体層１１ａの下面（第２の磁性体層１４ｂの上面）に形成された第１の引出導体１９ａとで構成されている。なお、第１の渦巻き状導体１８ａと第１の引出導体１９ａとは、第１の非磁性体層１１ａに形成されたビア電極２０ａを介して接続している。
【００１８】
そして、前記第２のコイル１３は、第２の非磁性体層１１ｂの上面に形成された第２の渦巻き状導体１８ｂと、第３の非磁性体層１１ｃの上面に形成された第２の引出導体１９ｂとで構成されている。なお、第２の渦巻き状導体１８ｂと第２の引出導体１９ｂとは、第３の非磁性体層１１ｃに形成されたビア電極２０ｂを介して接続している。ここで、第１の渦巻き状導体１８ａ、第２の渦巻き状導体１８ｂは、上記のような渦巻き状ではなく、螺旋状であってもよい。
【００１９】
さらに、第１の渦巻き状導体１８ａと第２の渦巻き状導体１８ｂは第２の非磁性体層１１ｂを介して、上面視にて略対向するように設けられている。
【００２０】
なお、前記第１、第２の渦巻き状導体１８ａ，１８ｂ、第１、第２の引出導体１９ａ，１９ｂは、銀などの導電材料をめっきまたは印刷することにより形成する。さらに、ビア電極２０ａ，２０ｂは、第１の非磁性体層１１ａ、第３の非磁性体層１１ｃの所定箇所に、レーザ、パンチングなどで孔あけ加工をし、この孔に銀を充填して形成する。
【００２１】
また、前記第１〜第４の磁性体層１４ａ〜１４ｄは、Ｎｉ−Ｚｎフェライト等の磁性材料により構成され、第１、第２の磁性体層１４ａ，１４ｂは、第１〜第３の非磁性体層１１ａ〜１１ｃ（非磁性体１０）の下方、第３、第４の磁性体層１４ｃ，１４ｄは第１〜第３の非磁性体層１１ａ〜１１ｃ（非磁性体１０）の上方にそれぞれ形成されている。なお、第１〜第３の非磁性体層１１ａ〜１１ｃ、第１〜第４の磁性体層１４ａ〜１４ｄの枚数は、図１に示された枚数と異なる枚数でもよい。
【００２２】
さらに、前記磁性部１５は、第１、第２のコイル１２，１３の中心部分において、第１〜第３の非磁性体層１１ａ〜１１ｃそれぞれを貫通するように設けられている。また、磁性部１５は、第１〜第３の非磁性体層１１ａ〜１１ｃそれぞれの所定箇所に、レーザ、パンチングなどで孔あけ加工をし、この孔にＮｉ−Ｚｎフェライト等の磁性材料を充填して形成する。このとき、この磁性部１５は、上面視にて第１、第２のコイル１２，１３の中心部分、すなわち、第１、第２の渦巻き状導体１８ａ，１８ｂにおける最も内側に位置する導体よりも内側に形成され、かつ第１、第２の渦巻き状導体１８ａ，１８ｂ、第１、第２の引出導体１９ａ，１９ｂと接触しないように設けられている。さらに、この３つの磁性部１５は、その大きさが略同一で上面視にて同じ位置に配置されている。
【００２３】
さらにまた、前記金属層１７は、銀、銅等の導電材料をめっきまたは印刷することにより、あるいは金属板、金属箔を貼り付けることによりシート状に形成され、第１の磁性体層１４ａと第２の磁性体層１４ｂとの間、第３の磁性体層１４ｃと第４の磁性体層１４ｄとの間の２箇所に配置されている。そして、この金属層１７は、その一部である２つの引出部１７ａのみが第１〜第４の磁性体層１４ａ〜１４ｄの側面に露出している。
【００２４】
さらに、金属層１７の中央部には、金属層１７を貫通する切欠部１６が設けられている。このとき、金属層１７の切欠部１６に相当する箇所にレジストを設けてめっきする、あるいは、スクリーン印刷するか、予め金属板、金属箔に切削、レーザ照射して貫通孔を設けるようにして切欠部１６を有する金属層１７を形成する。この切欠部１６により、磁性材料で構成された３つの磁性部１５が、磁性材料で構成された第２、第３の磁性体層１４ｂ，１４ｃだけでなく第１、第４の磁性体層１４ａ，１４ｄとも連続する。なお、切欠部１６は、上下に位置する２つの金属層１７の両方ではなく、片方のみに形成するようにしてもよい。
【００２５】
そして、上記した構成により、コモンモードノイズフィルタの本体部２１が形成される。また、この本体部２１の両端面には、本体部２１の焼成後において、第１〜第４の外部電極２２〜２５が設けられ、この第１〜第４の外部電極２２〜２５はそれぞれ第１、第２のコイル１２，１３の両端部（第１の渦巻き状導体１８ａ、第１の引出導体１９ａ、第２の渦巻き状導体１８ｂ、第２の引出導体１９ｂそれぞれの一端部）と接続されている。さらに、本体部２１の両側面には、金属層１７の引出部１７ａと接続された第５、第６の外部電極２６，２７が形成されている。そして、前記第１〜第６の外部電極２２〜２７は、本体部２１の端面に銀を印刷することにより形成され、またこれらの表面にめっきによってニッケルめっき層を形成するとともに、このニッケルめっき層の表面にめっきによってすずやはんだ等の低融点金属めっき層を形成する。なお、図２では、第１〜第４の外部電極２２〜２５を本体部２１の両端面、第５、第６の外部電極２６，２７を本体部２１の両側面の計４面に形成しているが、第１〜第６の外部電極２２〜２７全てを本体部２１の両側面の２面に形成してもよい。
【００２６】
ここで、金属層１７の切欠部１６は、図３に示すように、上面視にて磁性部１５が露出するように形成されている。また、切欠部１６を除いた金属層１７は上面視にて第２の渦巻き状導体１８ｂ（第１、第２のコイル１２，１３）の全面を覆っている。なお、図３では、説明を簡単にするために、第２の渦巻き状導体１８ｂ、第２の非磁性体層１１ｂ、金属層１７、切欠部１６、磁性部１５のみを示し、第２の渦巻き状導体１８ｂのうち金属層１７で覆われた部分を破線で表す。
【００２７】
図４は、本発明の一実施の形態におけるコモンモードノイズフィルタの等価回路図である。
【００２８】
図４からも明らかなように、第１のコイル１２と第２のコイル１３との間の結合を強め、コモンモードノイズを除去できるようにするとともに、第５、第６の外部電極２６，２７をグランドに接続し、第１、第２のコイル１２，１３と金属層１７との間で発生する浮遊容量Ｃ０によって高周波のコモンモードノイズをグランドにバイパスさせて、高周波領域のコモンモードノイズの減衰特性の向上を図るようにしている。なお、差動信号はコモンモードノイズより周波数が低いため、減衰されることはほとんどない。
【００２９】
上記したように本発明の一実施の形態においては、上面視にて磁性部１５が露出するような切欠部１６を有する金属層１７を、第１の磁性体層１４ａと第２の磁性体層１４ｂとの間、上方の第３の磁性体層１４ｃと第４の磁性体層１４ｄとの間にそれぞれ形成しているため、第１、第２のコイル１２，１３で発生し磁性部１５の内部を貫く磁束は切欠部１６によって金属層１７に邪魔されることなく、第１の磁性体層１４ａや第４の磁性体層１４ｄまで広がり、これにより、磁束は大きく回りこむことになるため、多くの磁束を第１、第２のコイル１２，１３の周囲を周回させることができる。この結果、第１のコイル１２と第２のコイル１３との間の結合を強めることができるため、コモンモードノイズの減衰特性が劣化するのを防止できるという効果が得られるものである。
【００３０】
また、この構成であっても、第１、第２のコイル１２，１３と金属層１７とを対向させることができるため、第１、第２のコイル１２，１３と金属層１７との間で発生する浮遊容量によって高周波のコモンモードノイズをグランドにバイパスさせて、高周波領域のコモンモードノイズの減衰特性を向上させることも可能である。
【００３１】
なお、本発明の一実施の形態におけるコモンモードノイズフィルタにおいては、金属層１７が上面視にて第１、第２のコイル１２，１３の全面を覆っているものについて説明したが、図５に示すように、金属層１７が上面視にて第１、第２のコイル１２，１３の一部のみを覆うように構成してもよい。
【００３２】
この構成により、第１、第２のコイル１２，１３で発生し磁性部１５の内部を貫く磁束が周りこめるスペースを増やすことができるため、第１のコイル１２と第２のコイル１３との間の結合をより強めることができ、これにより、コモンモードノイズの減衰特性が劣化するのを防止できる。
【００３３】
特に、図５のように、金属層１７が上面視にて第１、第２のコイル１２，１３の外周部のみを覆うようにすれば、磁性部１５の内部を貫いた磁束が、上下方向に向かって広がるように周回するため、多くの磁束を第１、第２のコイル１２，１３の周囲を周回させることができ、これにより、コモンモードノイズの減衰特性が劣化するのを確実に防止できる。なお、図５では、説明を簡単にするために、第２の渦巻き状導体１８ｂ、第２の非磁性体層１１ｂ、金属層１７、切欠部１６、磁性部１５のみを示し、第２の渦巻き状導体１８ｂの金属層１７で覆われた部分は破線で表している。
【産業上の利用可能性】
【００３４】
本発明に係るコモンモードノイズフィルタは、コモンモードノイズの減衰特性が劣化するのを防止できるという効果を有するものであり、特にデジタル機器やＡＶ機器、情報通信端末等の各種電子機器のノイズ対策として使用されるコモンモードノイズフィルタ等において有用となるものである。
【符号の説明】
【００３５】
１０  非磁性体
１１ａ〜１１ｃ  非磁性体層
１２  第１のコイル
１３  第２のコイル
１４ａ〜１４ｄ  磁性体層
１５  磁性部
１６  切欠部
１７  金属層
【図１】
2012109326.tif 000003
【図２】
2012109326.tif 000004
【図３】
2012109326.tif 000005
【図４】
2012109326.tif 000006
【図５】
2012109326.tif 000007
【図６】
2012109326.tif 000008